(57)【要約】【課題】設定項目の設定値を、操作部に対する操作により変更可能に構成された印刷装置の操作部に対する操作について、ユーザーの使いやすさを向上する。【解決手段】印刷装置１は、印刷に関する設定項目の設定値を、１又は複数桁の数値によって表示する表示部４４と、設定値の数値の各桁の値を設定可能な操作部４３と、設定値の数値の上限値、及び、下限値を記憶する記憶部４５と、操作部４３に対する操作により、設定値の数値が上限値を上回る場合は、表示部４４に上限値を表示し、操作部４３に対する操作により、数値が前記下限値を下回る場合は、表示部４４に記下限値を表示する制御部４０と、を備える。【選択図】図３
2015160362.tif 000002
【特許請求の範囲】
【請求項１】
印刷に関する設定項目の設定値を、１又は複数桁の数値によって表示する表示部と、
前記数値の各桁の値を設定可能な操作部と、
前記数値の上限値を記憶する記憶部と、
前記操作部に対する操作により、前記数値が前記上限値を上回る場合は、前記表示部に前記上限値を表示する制御部と、
を備えることを特徴とする印刷装置。
【請求項２】
前記記憶部は、前記設定項目に応じて、前記上限値を記憶することを特徴とする請求項１に記載の印刷装置。
【請求項３】
前記制御部は、
前記操作部に対する操作により、前記数値が前記上限値を上回る場合、前記表示部に、前記数値が前記上限値を上回ることを報知する表示を行うことを特徴とする請求項１又は２に記載の印刷装置。
【請求項４】
前記記憶部は、前記数値の下限値を記憶し、
前記制御部は、前記操作部に対する操作により、前記数値が前記下限値を下回る場合は、前記表示部に前記下限値を表示する請求項１乃至３のいずれか１項に記載の印刷装置。
【請求項５】
前記記憶部は、前記設定項目に応じて、前記下限値を記憶することを特徴とする請求項４に記載の印刷装置。
【請求項６】
前記制御部は、
前記操作部に対する操作により、前記数値が前記下限値を下回る場合、前記表示部に、前記数値が前記下限値を下回ることを報知する表示を行うことを特徴とする請求項４または５に記載の印刷装置。
【請求項７】
印刷に関する設定項目の設定値を、１又は複数桁の数値によって表示し、
操作部に対する操作により、前記数値が、記憶した上限値を上回る場合は、表示部に前記上限値を表示し、前記操作部に対する操作により、前記数値が、記憶した下限値を下回る場合は、前記表示部に前記下限値を表示することを特徴とする印刷装置の制御方法。
【発明の詳細な説明】
【技術分野】
【０００１】
本発明は、印刷装置、及び、印刷装置の制御方法に関する。
【背景技術】
【０００２】
従来、表示部と、表示部に表示された情報の内容を変更させる操作を受け付ける操作部とを備える印刷装置（画像形成装置）が知られている（例えば、特許文献１参照）。
この種の印刷装置では、印刷枚数や、余白などの設定項目の設定値を表示部に表示し、操作部に対応する操作により設定値を変更可能に構成されたものがある。
【先行技術文献】
【特許文献】
【０００３】
【特許文献１】特開２０１３−１６４６５９号公報
【発明の概要】
【発明が解決しようとする課題】
【０００４】
上述した印刷装置のように、設定項目の設定値を、操作部に対する操作により変更可能に構成された装置では、操作部に対する操作について、ユーザーの使いやすさを向上したいとするニーズがある。
本発明は、上述した事情に鑑みてなされたものであり、設定項目の設定値を、操作部に対する操作により変更可能に構成された印刷装置の操作部に対する操作について、ユーザーの使いやすさを向上することを目的とする。
【課題を解決するための手段】
【０００５】
上記目的を達成するために、本発明の印刷装置は、印刷に関する設定項目の設定値を、１又は複数桁の数値によって表示する表示部と、前記数値の各桁の値を設定可能な操作部と、前記数値の上限値を記憶する記憶部と、前記操作部に対する操作により、前記数値が前記上限値を上回る場合は、前記表示部に前記上限値を表示する制御部と、を備えることを特徴とする。
本発明の構成によれば、ユーザーは、操作部の操作によって設定値の各桁の値を設定することにより設定値を設定することが可能であるため、設定値の設定が容易である。また、本発明の構成によれば、設定値に係る数値が上限値を上回った場合は上限値が表示される。このため、設定値に係る数値について上限値を超えた数値となることを防止でき、また、ユーザーは上限値を容易に把握できる。従って、設定項目の設定値を、操作部に対する操作により変更可能に構成された印刷装置の操作部に対する操作について、ユーザーの使いやすさが向上する。
【０００６】
また、本発明の印刷装置は、前記記憶部は、前記設定項目に応じて、前記上限値を記憶することを特徴とする。
本発明の構成によれば、設定項目ごとに、上限値を設定できる。
【０００７】
また、本発明の印刷装置は、前記制御部は、前記操作部に対する操作により、前記数値が前記上限値を上回る場合、前記表示部に、前記数値が前記上限値を上回ることを報知する表示を行うことを特徴とする。
本発明の構成によれば、ユーザーは、操作部に対する操作により、数値が上限値を上回った場合、そのことを的確に認識できる。
【０００８】
また、本発明の印刷装置は、前記記憶部は、前記数値の下限値を記憶し、前記制御部は、前記操作部に対する操作により、前記数値が前記下限値を下回る場合は、前記表示部に前記下限値を表示する。
本発明の構成によれば、設定値に係る数値が下限値を上回った場合は下限値が表示される。このため、設定値に係る数値について下限値を超えた数値となることを防止でき、また、ユーザーは下限値を容易に把握できる。従って、設定項目の設定値を、操作部に対する操作により変更可能に構成された印刷装置の操作部に対する操作について、ユーザーの使いやすさが向上する。
【０００９】
また、本発明の印刷装置は、前記記憶部は、前記設定項目に応じて、前記下限値を記憶する。
本発明の構成によれば、設定項目ごとに、下限値を設定できる。
【００１０】
また、本発明の印刷装置は、前記制御部は、前記操作部に対する操作により、前記数値が前記下限値を下回る場合、前記表示部に、前記数値が前記下限値を下回ることを報知する表示を行うことを特徴とする。
本発明の構成によれば、ユーザーは、操作部に対する操作により、数値が下限値を下回った場合、そのことを的確に認識できる。
【００１１】
また、上記目的を達成するために、本発明の印刷装置の制御方法は、印刷に関する設定項目の設定値を、１又は複数桁の数値によって表示し、操作部に対する操作により、前記数値が、記憶した上限値を上回る場合は、表示部に前記上限値を表示し、前記操作部に対する操作により、前記数値が、記憶した下限値を下回る場合は、前記表示部に前記下限値を表示することを特徴とする。
本発明の構成によれば、設定値に係る数値について上限値、又は、下限値を超えた数値となることを防止でき、また、ユーザーは上限値、及び、下限値を容易に把握できる。従って、設定項目の設定値を、操作部に対する操作により変更可能に構成された印刷装置の操作部に対する操作について、ユーザーの使いやすさが向上する。
【発明の効果】
【００１２】
本発明によれば、設定項目の設定値を、操作部に対する操作により変更可能に構成された印刷装置の操作部に対する操作について、ユーザーの使いやすさを向上する。
【図面の簡単な説明】
【００１３】
【図１】本実施形態に係る印刷装置の外観斜視図。
【図２】オペレーションパネルを示す図。
【図３】印刷システムの構成を示すブロック図。
【図４】ディスプレーに表示される余白設定画面を示す図。
【発明を実施するための形態】
【００１４】
以下、図面を参照して本発明の実施形態について説明する。
図１は、本実施形態に係る印刷装置１の外観斜視図である。
印刷装置１は、ライン型のインクジェット式プリンターである。印刷装置１には、ロール紙がセットされる。印刷装置１は、搬送経路でロール紙を搬送しつつ、ライン型のインクジェットヘッドからインクを吐出して、記録媒体に画像を印刷する。また、印刷装置１は、ロール紙を切断する切断機構を備えており、切断機構によりロール紙を切断する。
図１に示すように、印刷装置１は、直方体形状の装置本体１０を備える。
装置本体１０の天面の後部には、メンテナンスカバー１１が設けられる。メンテナンスカバー１１を開状態とすると、装置本体１０の内部が露出し、装置本体１０が備える所定の機構のメンテナンスが可能となる。
装置本体１０の一方の側面の後部には、ロール紙カバー１２が設けられる。ロール紙カバー１２を開状態とすると、ロール紙を収納する収納部が露出し、収納部へのロール紙の収納、収納部からのロール紙の取り外しが可能となる。
装置本体１０の前面の右下部には、フロントカバー１３が設けられる。フロントカバー１３を開状態とすると、ロール紙の搬送経路が露出し、紙ジャム等が発生した場合に、それを解消する作業が可能となる。
装置本体１０の前面において、フロントカバー１３の上方には、ロール紙が排出される排出口１４が設けられる。
装置本体１０の前面において、フロントカバー１３の左方には、インクカートリッジカバー１５が設けられる。インクカートリッジカバー１５を開状態とすると、各色のインクカートリッジを装着するインクカートリッジ装着部が露出し、インクカートリッジの装着、インクカートリッジの取り外しが可能となる。
装置本体１０の前面において、インクカートリッジカバー１５の上方には、オペレーションパネル１６が設けられる。
【００１５】
図２は、オペレーションパネル１６を示す図である。
オペレーションパネル１６は、印刷装置１の状態等を報知する表示エリア１９と、操作スイッチが設けられた操作エリア２０とを備える。
表示エリア１９は、ＬＥＤ部２１と、ディスプレー２２とを備える。
ＬＥＤ部２１は、電源のオン／オフの状態、印刷装置１の動作の状態、印刷装置１にセットされたロール紙の状態、インクカートリッジのインクの状態等の、印刷装置１の状態を示す５つのＬＥＤ（Light Emitting Diode）２３を備える。
ディスプレー２２は、液晶ディスプレーにより構成され、各種情報を表示する。
操作エリア２０は、印刷装置１の動作を一時停止するポーズスイッチ２５を備える。操作エリア２０は、階層構造のメニューについて、選択中のメニューを、上位のメニューに戻すバックスイッチ２６を備える。操作エリア２０は、電源のオン／オフを切り替えるパワースイッチ２７を備える。操作エリア２０は、ロール紙の搬送方向への搬送を指示するフロントフィードスイッチ２８を備える。操作エリア２０は、ロール紙の搬送方向と逆方向への搬送を指示するバックフィードスイッチ２９を備える。操作エリア２０は、ロール紙の切断を指示するオートカットスイッチ３０を備える。
操作エリア２０は、選択スイッチ３１を備える。
選択スイッチ３１は、上スイッチ３２と、右スイッチ３３と、下スイッチ３４と、左スイッチ３５と、決定スイッチ３６と、を備える。選択スイッチ３１の使用方法は後述する。
【００１６】
図３は、本実施形態に係る印刷システム２の機能的構成を示すブロック図である。
印刷システム２は、印刷装置１と、印刷装置１と通信可能に接続され、印刷装置１を制御するホストコンピューター３とを備える。ホストコンピューター３には、所定のアプリケーション、及び、デバイスドライバーがインストールされており、これらプログラムの機能によって制御データを生成し、印刷装置１に送信する。印刷装置１は、ファームウェアがインストールされており、ファームウェアの機能により、受信した制御データに基づいて処理を実行する。
図３に示すように、印刷装置１は、制御部４０と、印刷部４１と、搬送部４２と、操作部４３と、表示部４４と、記憶部４５と、通信インターフェース４６と、を備える。
制御部４０は、ＣＰＵや、ＲＯＭ、ＲＡＭ、その他の周辺回路等を備え、印刷装置１を制御する。
印刷部４１は、制御部４０の制御に従って、インクジェットヘッド、その他の機構を制御して、印刷を実行する。
搬送部４２は、制御部４０の制御に従って、搬送機構を制御して、ロール紙を搬送方向、又は、その逆方向に搬送する。
操作部４３は、操作エリア２０に設けられた選択スイッチ３１を含む各スイッチを有し、各スイッチに対する操作を検出し、制御部４０に出力する。
表示部４４は、ＬＥＤ部２１と、ディスプレー２２とを有し、制御部４０の制御に従って、これらを駆動する。
記憶部４５は、不揮発性メモリーを備え、データを記憶する。
通信インターフェース４６は、制御部４０の制御に従って、所定の通信規格でホストコンピューター３と通信する。
【００１７】
本実施形態では、ユーザーは、印刷装置１の選択スイッチ３１を操作することにより、印刷に関する設定項目の設定値を設定できる。
設定項目とは、例えば、余白、ロール紙の紙幅、印刷するときの解像度、インクジェットヘッドのメンテナンスに関する設定である。
以下、余白を設定する場合を例として、印刷装置１の処理について説明する。
なお、本例では、余白は、画像の印刷（ドットの形成）を行わない範囲のことをいい、ロール紙の長手方向に延びる一方の端からの距離（単位は、「ドット」）で表される。
また、本例では、余白の設定値は、１０ドットから１００ドットの範囲で設定可能である。以下、余白の設定値を「余白設定値」という。
また、以下の説明において、選択スイッチ３１に対する操作は、操作部４３によって検出されて制御部４０に出力される。制御部４０は、操作部４３からの入力に応じて、表示部４４を制御して、ディスプレー２２に対応する表示を行う。
【００１８】
余白の設定に際し、ユーザーは、選択スイッチ３１を操作して、余白設定モードへの移行を指示する。余白設定モードへの移行の指示があった場合、制御部４０は、表示部４４を制御して、ディスプレー２２に、余白設定画面Ｇ１を表示する。
図４（Ａ）は、余白設定画面Ｇ１の一例を示す図である。
図４（Ａ）に示すように、余白設定画面Ｇ１には、現時点で設定されている余白設定値が表示される。余白設定値は、記憶部４５が記憶する設定ファイルに記録されており、制御部４０は、設定ファイルを参照して、余白設定画面Ｇ１に、余白設定値を表示する。
図４（Ａ）に示すように、余白設定画面Ｇ１で、余白設定値は、３桁の数値によって表示される。３桁の数値の上方には、余白設定であることを示す「ヨハク  セッテイ」が表示される。
余白設定値の各桁は、選択スイッチ３１の操作により、カーソルＣＳを合わせることによって選択できる。また、選択した桁の値は、選択スイッチ３１の操作により、０〜９の範囲で設定できる。
以下の説明では、余白設定値を、００１ドット、０１０ドット、１００ドットのように、３桁の数字と、単位（ドット）との組合せによって表現する。
また、以下の説明では、余白設定値について、一の位が「１桁目」であり、十の位が「２桁目」であり、百の位が「３桁目」である。
【００１９】
図４（Ａ）の余白設定画面Ｇ１に示す余白設定値が０３０ドットの状態において、図４（Ｂ）の余白設定画面Ｇ１に示す余白設定値が０１５ドットの状態にする場合、ユーザーによって以下の操作が行われる。
ユーザーは、選択スイッチ３１を操作して、カーソルＣＳを余白設定値の２桁目に合わせ、２桁目を選択する。ユーザーは、選択スイッチ３１を操作して、２桁目の値を「３」から「１」へ移行させる。ユーザーは、選択スイッチ３１を操作して、カーソルＣＳを余白設定値の１桁目に合わせ、１桁目を選択する。ユーザーは、選択スイッチ３１を操作して、１桁目の値を「０」から「５」へ移行させる。
このように、設定値について、桁ごとに値を設定可能なため、数値をインクリメント又はデクリメントして設定値を設定する場合と比較して、選択スイッチ３１に対する操作の回数が少なくて済む場合が多く、ユーザーの利便性が高い。
【００２０】
上述したように、余白設定値は、１０ドットから１００ドットの範囲で設定可能である。つまり、余白設定値の下限値は１０ドットであり、上限値は１００ドットである。
記憶部４５が記憶する設定ファイルでは、設定項目に応じて、設定値の上限値、及び、下限値が記録される。従って、設定ファイルには、余白設定値の下限値（本例では、１０ドット）、及び、余白設定値の上限値（本例では、１００ドット）が記録される。
そして、選択スイッチ３１の操作によって、余白設定値が下限値を下回り、又は、余白設定値が上限値を上回った場合、印刷装置１は、以下の処理を行う。
【００２１】
まず、選択スイッチ３１の操作によって、余白設定値が下限値を下回る場合について説明する。
図４（Ｂ）に示す余白設定値が０１５ドットの状態において、ユーザーにより、２桁目が選択された後、２桁目の値を「１」から「０」へ移行する旨の操作が行われる。この場合、操作後の余白設定値は００５ドットとなり、下限値を下回る。制御部４０は、操作部４３からの入力により、余白設定値について、下限値を下回らせる操作が行われたことを検出した場合、表示部４４を制御して、余白設定画面Ｇ１に下限値（本例では、０１０ドット）を表示する（図４（Ｃ））。従って、本例では、余白設定画面Ｇ１には、余白設定値として００５ドットと表示されるのではなく、０１０ドットと表示される。次いで、制御部４０は、表示した余白設定値の下限値を、所定期間、点滅させる。余白設定値が点滅した場合は、下限値を下回るか、上限値を上回る余白設定値の設定の指示が行われたことを示す旨であることの情報が、印刷装置１の取り扱い説明書の記載、その他の手段により事前にユーザーに通知される。このため、ユーザーは、余白設定値が点滅していることを視認することによって、余白設定値について、下限値を下回る設定の指示を行ったことを認識できる。
また、余白設定値について、下限値を下回る設定の指示が行われた場合、下限値が表示されるため、ユーザーは、容易に下限値を認識できる。
また、本実施形態では、余白設定画面Ｇ１に表示された余白設定値が確定されることによって、設定ファイルの余白設定値が書き換わる構成となっている。従って、下限値を下回って余白設定値が設定されることがない。
【００２２】
次に、選択スイッチ３１の操作によって、余白設定値が上限値を上回る場合について説明する。
図４（Ｂ）に示す余白設定値が０１５ドットの状態において、ユーザーにより、３桁目が選択された後、３桁目の値を「０」から「１」へ移行する旨の操作が行われる。この場合、操作後の余白設定値は１１５ドットとなり、上限値を上回る。制御部４０は、操作部４３からの入力により、余白設定値について、上限値を上回らせる操作が行われたことを検出した場合、表示部４４を制御して、余白設定画面Ｇ１に上限値（本例では、１００ドット）を表示する（図４（Ｄ））。従って、本例では、余白設定画面Ｇ１には、余白設定値として１１５ドットと表示されるのではなく、１００ドットと表示される。次いで、制御部４０は、表示した余白設定値の上限値を、所定期間、点滅させる。上限値を点滅させるときの態様と、下限値を点滅させるときの態様とを異ならせる構成であってもよい。
【００２３】
以上、余白設定値を設定する場合を例にして、印刷装置１の処理について説明したが、他の設定項目を設定する場合も同様である。
【００２４】
以上説明したように、本実施形態に係る印刷装置１は、印刷に関する設定項目の設定値を、１又は複数桁の数値によって表示する表示部４４と、設定値の数値の各桁の値を設定可能な操作部４３と、設定値の数値の上限値、及び、下限値を記憶する記憶部４５と、操作部４３に対する操作により、設定値の数値が上限値を上回る場合は、表示部４４に上限値を表示し、操作部４３に対する操作により、数値が前記下限値を下回る場合は、表示部４４に記下限値を表示する制御部４０と、を備える。
この構成によれば、ユーザーは、操作部４３の操作によって設定値の各桁の値を設定することにより設定値を設定することが可能であるため、設定値の設定が容易である。また、この構成によれば、設定値に係る数値が上限値を上回った場合は上限値が表示され、下限値を下回った場合は下限値が表示される。このため、設定値に係る数値について上限値、下限値を超えた数値となることを防止でき、また、ユーザーは上限値、及び、下限値を容易に把握できる。従って、設定項目の設定値を、操作部４３に対する操作により変更可能に構成された印刷装置１の操作部４３に対する操作について、ユーザーの使いやすさが向上する。
【００２５】
また、本実施形態では、記憶部４５は、設定項目に応じて、上限値、及び、下限値を記憶する。
この構成によれば、設定項目ごとに、上限値、及び、下限値を設定できる。
【００２６】
また、本実施形態では、制御部４０は、操作部４３に対する操作により、設定値の数値が上限値を上回る場合、表示部４４に、設定値の数値が上限値を上回ることを報知する表示を行い、設定値の数値が下限値を下回る場合、表示部４４に、設定値の数値が下限値を下回ることを報知する表示を行う。具体的には、制御部４０は、上限値、及び、下限値を、所定期間、点滅させる。
この構成によれば、ユーザーは、設定値の数値が上限値を上回ったこと、及び、設定値の数値が下限値を下回ったことを的確に認識できる。
なお、点滅以外の方法によって、報知を行う構成であってもよい。
【００２７】
なお、上述した実施の形態は、あくまでも本発明の一態様を示すものであり、本発明の範囲内で任意に変形および応用が可能である。
例えば、上述した実施形態では、印刷装置１は、インクジェット式プリンターであったが、プリンターの印刷方式は、これに限らない。
また、図３に示す各機能ブロックはハードウェアとソフトウェアの協働により任意に実現可能であり、特定のハードウェア構成を示唆するものではない。
【符号の説明】
【００２８】
１…印刷装置、４０…制御部、４３…操作部、４４…表示部、４５…記憶部。
【図１】
2015160362.tif 000003
【図２】
2015160362.tif 000004
【図３】
2015160362.tif 000005
【図４】
2015160362.tif 000006